(57)【特許請求の範囲】
【請求項１】
ヒータによって加熱された空気をファンによって真下方向に吹き出す温風ヒータユニットの下面を覆うように設けられた保護ガードにおいて、この保護ガードの下面に前記ファンの直下に位置して下方に突出した逆円錐台形状の吸排気部を設け、この吸排気部の周側面を複数の線材を放射状に配置して構成した吸気部とするとともに、この吸排気部の下面を網状体で構成した排気部とし、前記線材の端部と網状体の周縁を幅広のリング状の連結板で連結したことを特徴とする温風ヒータユニット用保護ガード。
【請求項２】
前記吸排気部の周側面を構成する線材を前記リング状連結板の手前で屈曲させ、この屈曲部が前記リング状連結板の外周縁よりも外側で水平方向に延びた位置に前記線材を前記リング状連結板の上面に固定したことを特徴とする請求項１記載の温風ヒータユニット用保護ガード。
【請求項３】
前記複数の線材の所定高さ位置をリング状の線材を介して連結し、前記所定高さ位置を前記線材の中央高さ位置よりも上方に位置させたことを特徴とする請求項１記載の温風ヒータユニット用保護ガード。
【発明の詳細な説明】
【０００１】
【産業上の利用分野】
本発明は、ヒータによって加熱された空気をファンによって真下方向に吹き出す温風ヒータユニットの下面を覆うように設けられた保護ガードに関する。
【０００２】
【従来の技術】
従来、温風ヒータユニットの保護ガードは、ファンによる吸排気をスムーズに行うために、開口率を高くできるラス網などの網状体によって構成している（例えば実公昭４３−１３０３２号公報）が、この網状体は強度的に弱いため、使用者の足などが当ると容易に変形してしまうという問題があった。また、強度を高めるため、網状体に替えて線材を縦横に配置して保護ガードを構成したものがある（例えば実公昭６２−６１８５５号公報）が、線材を用いて構成すると、線材の間隔が広い場合は指先などが入り易く安全性の問題があり、線材の間隔を狭くすると温風の流れが悪くなったり、輻射熱が遮られたりして暖房効果が低下するという問題がある。特に、円形部分を線材を用いて構成する場合は、線材を円の中心から放射状に配置すると、中心部分が密集して開口率が大幅に低下し、上述した暖房効果の低下を招いてしまう。
【０００３】
【発明が解決しようとする課題】
本発明は、上述した網状体と線材の問題点を考慮して成されたもので、温風ヒータユニットの暖房効果を高めることができる保護ガードを提供することを課題とする。また、安全性や強度を高めることも課題の１つに挙げられる。
【０００４】
【課題を解決するための手段】
本発明は、ヒータによって加熱された空気をファンによって真下方向に吹き出す温風ヒータユニットの下面を覆うように設けられた保護ガードにおいて、この保護ガードの下面に前記ファンの直下に位置して下方に突出した逆円錐台形状の吸排気部を設け、この吸排気部の周側面を複数の線材を放射状に配置して構成した吸気部とするとともに、この吸排気部の下面を網状体で構成した排気部とし、前記線材の端部と網状体の周縁を幅広のリング状の連結板で連結したことを特徴とする。
【０００５】
また、前記吸排気部の周側面を構成する線材を前記リング状連結板の手前で屈曲させ、この屈曲部が前記リング状連結板の外周縁よりも外側で水平方向に延びた位置に前記線材を前記リング状連結板の上面に固定してもよい。
【０００６】
また、前記複数の線材の所定高さ位置をリング状の線材を介して連結し、前記所定高さ位置を前記線材の中央高さ位置よりも上方に位置させてもよい。
【０００７】
【作用】
本発明は、上記のように下方に突出した逆円錐台形状の吸排気部の周側面を複数の線材を放射状に配置して構成した吸気部としたので、網状体で構成する場合に比べてその強度を高めることができる。また、下方に突出した逆円錐台形状の吸排気部の下面を網状体で構成した排気部とし、前記線材の端部と網状体の周縁を幅広のリング状の連結板で連結したので、前記線材を延長してこの下面を構成する場合に比べて排気部の開口率、特に中心部分の開口率を大きくでき、温風の流れをスムーズにすることができると共に、幅広の連結板は保護ガードの強度を高めることができる。また、網状体は、逆円錐台形状吸排気部の下面に位置するので、その占有面積を小さく設定でき、強度低下を最小限に抑えることができる。
【０００８】
また、前記吸排気部の周側面と下面をリング状の連結板を介して接続することにより、周側面と下面の接続を確実に行ってその強度を高めることが可能となるとともに、前記周側面を構成する線材を前記リング状連結板の手前で屈曲させ、この屈曲部が前記リング状連結板の外周縁よりも外側で水平方向に延びた位置に前記線材を前記リング状連結板の上面に固定することにより、リング状連結板の外縁の突出を抑え、この外縁が使用者を傷付けるといった事態の発生を防止することが可能となる。
【０００９】
また、前記複数の線材の所定高さ位置をリング状の線材を介して連結し、前記所定高さ位置を前記線材の中央高さ位置よりも上方に位置させることにより、線材の間隔が広くなる上方位置において、線材間の隙間を前記リング状線材によって小さく設定することができ、使用者の指先の進入を阻止して安全性を高めることができる。
【００１０】
【実施例】
以下本発明の実施例を図面を参照して説明する。温風ヒータユニット１は、図１〜図２に示すように平面形状が長方形を成しており、図３に示すように、上面に平面形状が長方形の合板製遮熱板２を配置し、その下面に平面形状が長方形の鉄板製反射板３を配置し、下面に平面形状が長方形の保護ガード４を配置し、前記遮熱板２と反射板３の間の空間にモータ５を配置し、反射板３と保護ガード４の間の空間にファン６とヒータ７を配置している。
【００１１】
前記反射板３は、プレス加工によって図３に示すようにその中央部に下方に膨出した膨出部８を一体形成し、図２〜４に示すように、この膨出部８を囲むように周囲に向かって下向きの傾斜を有する傾斜部９を環状に一体形成し、この環状傾斜部９の下端縁から周囲方向に平坦部１０を一体形成している。反射板３の周囲の４側面は上向きに立上げ形成された側壁１１によって形成され、各側壁１１の上部には、外側に延びるフランジ部１２が形成されている。そして、遮熱板２と反射板３の間には、反射板３の前記膨出部８の存在によってモータ５を収納するためのモータ収納空間１３が形成され、その周囲には反射板３の前記環状傾斜部９と平坦部１０と側壁１１の存在によって環状の周囲空間１４が形成される。このモータ収納空間１３と周囲空間１４を連通するため、反射板３には、図２，４に示すように前記膨出部８を介在して傾斜部９の対向する部分を連絡する縦断面が略Ｕ形状の横長ダクト部１５を反射板３の対角線方向に向けて一体形成している。反射板３は、横長ダクト部１５をその対角線方向に形成することによってその強度を高めることができる。前記膨出部８の下面、すなわち横長ダクト部１５の下面には、図４に示すように、モータ５のコイル１６の直下に位置して開口した通気孔１７を形成している。
【００１２】
前記モータ収納空間１３に配置固定したモータ５の回転軸１８は、反射板３を貫通して下方に突出しており、この回転軸１８にプロペラ型のファン６を取り付けている。このファン６はモータ５の回転によって反射板３下面付近から吸い込んだ空気を反射板３の直下に向けて吹き出すように構成している。
【００１３】
反射板３の下面には、図２に示すように、ファン６並びに前記環状傾斜部９と同心円を成すリング状のヒータ７を取り付けている。このヒータ７は、前記ファン６の外径よりも大きな内径を有した例えば石英管式のランプヒータで構成されており、支持金具１９，２０によって横長ダクト部１５の下面に固定している。前記ファン６とヒータ７の上下関係は、ヒータ７よりもファン６が若干下方になるように設定している。
【００１４】
前記モータ５やヒータ７を動作させ、あるいは制御するための種々の電気部品を図３，４に示すように、プリント基板２１に取り付けて前記反射板３の平坦部１０の上面に配置している。電気部品の１つである温度検出用の正特性サーミスタからなる温度検出素子２２は、ヒータ７の輻射熱が遮られ、かつ風によって冷却されやすいように、支持金具１９の裏側の横長ダクト部１５内に配置しているので、温風ヒータユニット１内部にこもった熱による影響を少なくして温風ヒータユニット１の外の温度を正確に検出することができる。
【００１５】
前記温風ヒータユニット１の下面を覆う保護ガード４は、図１，３，５に示すように、前記環状傾斜部９と対応する位置にその外径と同等寸法の円形開口を形成した鉄板製のガード枠体２３と、前記ファン６並びにヒータ７の下面を覆うように前記円形開口部分に取り付けられた吸排気部２４とによって構成している。保護ガード４の下面に下方に突出して設けたこの吸排気部２４は、周囲から中心に向かって下向きに傾斜した吸気部を構成する環状周側面２５と、この環状周側面２５の下端面に位置して排気部を構成する平坦な円形下面２６とによって逆円錐台形状に構成される。吸気部としての環状周側面２５は、ファン６への吸気が阻害されず、かつヒータ７から発せられる輻射熱が遮光されないように開口率を高く設定するため、強度のある複数の鉄製線材２７，２７・・を放射状に配置して加工したものを用いて構成している。排気部としての円形下面２６は、ヒータ７から発せられる輻射熱が遮光されないように、かつファン６による送風が阻害されないように、開口率を高く設定すべく、ラス網などの網状体を用いて構成している。この環状周側面２５と円形下面２６は、リング状の鉄製連結板２８の上面に溶接されて連結固定される。
【００１６】
吸排気部２４について詳述すると、同一寸法に裁断されたプレス加工前の各線材２７を中心から所定間隔をあけて放射状に配置し、その外周付近を直径の異なる２本のリング状線材２９、３０に線材２７、２７・・の各々を溶接して固定し、その後プレス加工によって逆円錐台形状に加工する。このプレス加工によって、周側面２５の上部に位置する各線材２７、２７・・の一端側は、リング状線材２９と３０の間にて外側に屈曲され、一方、周側面２５の下部に位置する各線材２７、２７・・の他端側は、所定の長さを残して屈曲部Ｐの位置から内側に屈曲される。そして、各線材２７、２７・・の一端側をそれぞれリング状連結板２８の上面に等間隔に配置した後、溶接して幅広のリング状連結板２８に固定するが、この時リング状連結板２８の外周縁部分２８’が前記屈曲部Ｐよりも所定の長さ内側に位置するようにして各線材２７、２７・・の固定が行われる。このようにすることにより、リング状連結板２８の外周縁部分２８’の出代を少なくでき、この外周縁部分２８’による使用者の怪我を防いで安全性を高めることができる。その後、下面２６を構成する網状体の適所をリング状連結板２８の上面に溶接して下面２６の取り付け固定が行われる。そして、この下面２６を構成する網状体の周囲、並びに周側面２５を構成する各線材２７の端縁部分は、バリなどが多く危険であるが、リング状連結板２８によって覆われるので、使用者の怪我を防いで安全性を高めることができる。また、周側面２５を構成する各線材２７の間隔が上に向かうに従って広くなるので、指先が入り込んでしまう恐れがあるが、間隔の広がる周側面２５の中央よりも上部にリング状の線材３０を配置しているので、使用者の指先が内部に入り込むことを防止することができる。
【００１７】
この吸排気部２４は、ガード枠体２３の下面に設けた円形開口に上から填め込まれ、線材２７のいくつかの端部をガード枠体２３に溶接することによってガード枠体２３に取り付け固定される。このようにして組み立てられた保護ガード４は、その全面に耐熱性のある微小繊維を電気的接着処理を施すことによって植毛し、完成される。
【００１８】
そして、保護ガード４は、ガード枠体２３の外周上端部が前記反射板３のフランジ１２部分の下側に当てられて、ネジによって反射板３とともに遮熱板２に固定される。保護ガード４の取り付け状態において、吸排気部２４の上部外周縁、すなわち前記リング状線材２９及びそれに固定された各線材２７，２７・・の端部が、反射板３の環状傾斜面９の外周縁とガード枠体２３の間に挟み込まれるので、吸排気部２４とガード枠体２３の取り付け状態を補強することができる。
【００１９】
上記のように構成された温風ヒータユニット１は、図６に示すように、テーブル３１の天面３２の下面中央部に取り付けられて使用される。
【００２０】
温風ヒータユニット１に電源供給してモータ５，ヒータ７に通電すると、モータ５がファン６の回転駆動を開始するとともに、ヒータ７が発熱を開始する。ファン６の回転により、ファン６の上方が負圧状態となるため、周囲の空気がファン６の上方に吸い寄せられる。吸い寄せられる空気の大部分は、吸排気部２４の環状周側面２５を通り、ヒータ７の周囲を通過してファン６に到達する。そして、ヒータ７の周囲を通過する際に加熱されて温風化される。加熱された空気は、ファン６によって真下に向けて送風され、吸排気部２４の円形下面２６を通って温風ヒータユニット１の下面から真下方向へ送風される。
【００２１】
ここで、吸排気部２４の吸気部を構成する環状周側面２５は、モータの回転軸１８を中心として複数の線材２７，２７・・を等間隔で放射線状に配置して構成しているので、開口率を大きく設定でき、その結果、ファン６への吸気をスムーズなものとすることができるとともに、ヒータ７から発する輻射熱をより多く通すことができる。また、吸排気部２４の排気部を構成する円形下面２６は、ラス網などの網状体で構成しているので、開口率を大きく設定でき、その結果、ファン６による送風をスムーズなものとすることができるとともに、ヒータ７から発する輻射熱をより多く通すことができる。したがって、暖房効果を高めることができる。
【００２２】
さらに、保護ガード４の下面から下向きに突出する吸排気部２４は、逆円錐台形状とし、さらに、その周側面２５を網状体に比べて強度のある複数の線材２７，２７・・によって形成しているので、下側から加わる力に対して十分な強度を維持することができる。また、吸排気部２４の下面は、線材よりも強度が小さい網状体を用いて構成しているが、吸排気部２４の全体面積に対して１／４程度の面積であるので、強度低下を最小限に抑えることができる。
【００２３】
【発明の効果】
本発明は、上記のように下方に突出した逆円錐台形状の吸排気部の周側面を複数の線材を放射状に配置して構成した吸気部としたので、網状体で構成する場合に比べてその強度を高めることができる。また、下方に突出した逆円錐台形状の吸排気部の下面を網状体で構成した排気部としたので、前記線材を延長してこの下面を構成する場合に比べて排気部の開口率、特に中心部分の開口率を大きくでき、温風の流れをスムーズにすることができると共に、幅広の連結板は保護ガードの強度を高めることができる。また、網状体は、逆円錐台形状吸排気部の下面に位置するので、その占有面積を小さく設定でき、強度低下を最小限に抑えることができる。
【００２４】
また、前記吸排気部の周側面と下面をリング状の連結板を介して接続することにより、周側面と下面の接続を確実に行ってその強度を高めることが可能となるとともに、前記周側面を構成する線材を前記リング状連結板の手前で屈曲させ、この屈曲部が前記リング状連結板の外周縁よりも外側で水平方向に延びた位置に前記線材を前記リング状連結板の上面に固定することにより、リング状連結板の外縁の突出を抑え、この外縁が使用者を傷付けるといった事態の発生を防止することが可能となる。
【００２５】
また、前記複数の線材の所定高さ位置をリング状の線材を介して連結し、前記所定高さ位置を前記線材の中央高さ位置よりも上方に位置させることにより、線材の間隔が広くなる上方位置において、線材間の隙間を前記リング状線材によって小さく設定することができ、使用者の指先の進入を阻止して安全性を高めることができる。
【図面の簡単な説明】
【図１】本発明の一実施例に係わる温風ヒータユニットの底面図である。
【図２】同実施例の保護ガードを外した状態の温風ヒータユニットの底面図である。
【図３】図１のＡ−Ａ’断面図である。
【図４】図２のＢ−Ｂ’断面図である。
【図５】同実施例の保護ガードの側面図である。
【図６】同温風ヒータユニットをテーブルに取り付けた使用状態を示す一部破断側面図である。
【符号の説明】
１    温風ヒータユニット
２    遮熱板
３    反射板
４    保護ガード
５    モータ
６    ファン
７    ヒータ
２３    ガード枠体
２４    吸排気部
２５    環状周側面
２６    円形下面
２７    線材
２８    リング状連結板
２９    リング状線材
３０    リング状線材
【図１】
0003553635.tif 000002
【図２】
0003553635.tif 000003
【図３】
0003553635.tif 000004
【図４】
0003553635.tif 000005
【図５】
0003553635.tif 000006
【図６】
0003553635.tif 000007